(57)【特許請求の範囲】
【請求項１】
液体を吸引し排出する少なくとも一つのピストンと、前記少なくとも一つのピストンを中心軸回りに回転変位させて流体の流れを発生させるために、所定角度に傾斜して該傾斜角度に基づき前記ピストンの排出量と流体の流れとを変化させるヨークとを備えるポンプハウジングと、
該ポンプハウジングによって前記中心軸に対し平行状態に拘束され、所定の傾斜角度に前記ヨークを傾斜させる制御ピストンと、前記制御ピストンに対し前記ヨークを回転可能に連結するチェーンリンクと、ねじ部を有し前記制御ピストンに保持されるストップ部材とを備える、前記ヨークの傾斜角度を変更するための調整部材と、
前記ポンプハウジングの内部で回転自在、かつ、前記ポンプハウジングとの相対位置が保持されるための大径部と、前記ストップ部材のねじ部に螺合し、回転することにより前記ストップ部材を軸方向へと移動させ、それによって前記制御ピストンを軸方向へと移動させるねじ部とを備える調整ねじとを含み、
該調整ねじの前記大径部に、Ｏリングが装着され、該Ｏリングは前記ポンプハウジング内での前記調整ねじの回転によっては、軸方向へは移動しないように構成されていることを特徴とする液体ポンプ。
【請求項２】
前記ストップ部材は非円形断面を有し、前記制御ピストンの非円形断面の内筒部に保持されていることを特徴とする請求項１記載の液体ポンプ。
【請求項３】
前記調整ねじは、前記ポンプハウジングの外部に露出する頭部を有し、該頭部はロックナットによって所望の位置に保持されることを特徴とする請求項１記載の液体ポンプ。
【発明の詳細な説明】
（技術分野）
本発明は、ポンプの技術分野に関するものであり、特に、流体排出量を変更するための調整式ストッパを備える可変容量形液体プランジャポンプに関するものである。
（従来技術）
図１には、従来型の液体プランジャポンプ10を示している。このポンプ10は複数のプランジャ12を備え、これらプランジャ12は、流体供給源から流出した液体を吸収し、圧力を加えて高圧流体とし、排出管路へと排出する。各プランジャ12は、連結される回転軸16によって回転駆動されるシリンダブロック14内に、同心円状をなすように配置されている。各ピストン14の端部は、ヨーク20と機械的に結合することにより、確実に保持される。ヨーク20の傾斜角度は、回転軸16およびシリンダブロック14の回転軸に対し所定の角度（典型的には17.5°程度）に維持されている。ヨーク20は、その傾斜角度を変更するため揺動可能となっている。そして、シリンダブロック14を回転させることにより、プランジャ12はヨーク20に対するピストン運動を繰り返す。
各プランジャ12によって移送される流体の流量は、プランジャの断面積とストロークとによって決定される。また、プランジャのストロークは、プランジャ12の回転中心軸からの距離と、該回転中心軸に対するヨーク20の傾斜角度とによって決定される。流体の流入量（流出量）は、各ピストンの変位量、ピストンの数および回転軸16の回転速度によって決定される。共通の装置において、九つ程度のピストンを備えるものが多い。作動時には、全てのプランジャ12は各々異なる流入過程、排出過程にあり、このことによって、流体排出量に脈動を起こすことなく、一定量を維持することが可能となる。なお、最も一般的な液体ポンプの供給圧力は、3.20×107Pa(4640psi)程度である。
可変容量形ポンプは、ヨーク20の傾斜角度を、零から必要とされる最大値までの間で変化させることにより、流体排出量を変更することができる。図２には、その一端がヨーク20に接することで、ヨーク20を所望の傾斜角度に設定することが可能な、調整式ストッパ30を示している。従来の一般的な設計では、調整式ストッパ30は、ポンプハウジング22から突出するねじ部材32を回すことによって調整される。調整式ストッパ30は、制御ピストン34の変位を規制することで、付勢スプリング24によって傾斜状態へと付勢されるヨーク20の、傾斜角度を調整し決定するものである。上記調整式ストッパ30は、ポンプハウジング22から大きく延びるように突出しており、調整式ストッパ30をポンプハウジング22に対し出没させることにより、全長が変化する。したがって、従来の調整式ストッパ30のポンプハウジング22からの突出量はおのずと増加し、構造的に、損傷を受け易くかつ安全性の低下を生ずる可能性を含むものであった。また、調整式ストッパ30が備えるＯリングシール36は、調整式ストッパ30の調整の間、前後方向の相対位置を変化させることとなる。その結果として、調整式ストッパ30の移動がＯリングシール36からの漏れを起こすこととなり、Ｏリングシール36の交換時期を早める原因にもなっていた。
（発明の簡単な開示）
上記のごとく、従来の調整式ストッパは改良すべき点が多く、ポンプハウジングから突出することのない調整式ストッパが求められていた。また、ポンプハウジングからの突出量が常に一定である調整式ストッパが求められていた。また、シール部材からの漏れが無い調整式ストッパが求められていた。さらに、調整式ストッパの耐久性の更なる向上が求められていた。
これらの要求は、本発明によって明らかにされる、ヨークの傾斜角度を調整する調整部材を備える液体ポンプによって解消されるものである。この調整部材は、前記ヨークの傾斜角度を所望の角度に変更する制御ピストンを備える。また、ねじ部が形成され前記制御ピストンに保持されるストップ部材を備える。また、回転可能な調整ねじが設けられ、該調整ねじと前記ポンプハウジングとの間を密閉するための、Ｏリングシールとバックアップリングとを備える。また、前記調整ねじは、前記ストップ部材のねじ部と螺合するためのねじ部を備える。そして、前記調整ねじは、その位置を変えることなく回転することによって、前記ストップ部材のねじ部を前進させ、前記制御ピストンの位置を移動させて、前記ヨークの最大傾斜角度を制限する。
上記およびその他の本発明が解決する要求については、以下の本発明の詳細な説明および図面に開示された内容を参酌することによって明らかになるであろう。
【図面の簡単な説明】
図１は、従来の液体ポンプの構成を示す断面図である。
図２は、従来の液体ポンプの調整式ストッパの動作を説明するための断面図である。
図３は、本発明の実施の形態に係るポンプの調整式ストッパを示す断面図である。
（発明の詳細な説明）
本発明の実施の形態は、従来の構造を取り込みつつ、従来の調整式ストッパと比較して全長が短くかつ漏れの無い、ピストンポンプ用の調整式ストッパ40を提供することによって、上記課題を解決するものである。本発明の実施の形態においても、ヨーク20は、従来の調整式ストッパと同様に配置された付勢スプリング24によって、傾斜位置へと付勢されている。また、ヨーク20と制御ピストン44とを連結するためにチェーンリンク42が用いられており、これによって、ヨーク20の最大傾斜角度を制限し、かつ、前記制御ピストンの回転を防止している。
前記制御ピストン44の位置は、レンチ等の工具を利用して頭部48を回転させ、調整ねじ46の角度を調整することで移動させることができる。調整ねじ46は大径部50を一体に備え、当該大径部50によりポンプハウジング内部に保持される。また、調整ねじ46には、ゴム製のＯリングと好ましくはテフロンワッシャを用いたバックアップリングとを保持するための、溝52が形成されている。これらＯリングおよびバックアップリングは、調整ねじ46とポンプハウジングとの間の密閉を確保するためのシール部材を構成する。調整ねじ46を回転させると、Ｏリングおよびバックアップリングも共に回転するが、前後方向へと移動することは無い。したがって、本発明の実施の形態に係るシール部材（Ｏリングおよびバックアップリング）は、従来の調整式ストッパのごとく漏れが生ずることは無く、交換時期が早まることもなくなり、高い耐久性を備えるものとなる。
調整ねじ46はねじ部54を有し、該ねじ部54が非円形断面（好ましくは六角形断面）のストップ部材56の、雌ねじ部と螺合している。この、六角形断面のストップ部材56は、制御ピストン４４の六角形内筒部に保持され、ストップ部材56の回転は防止される。調整ねじ46が回されると、ねじ部54によってストップ部材56が前進し、制御ピストン44の最大移動量を制御して、ヨーク20の傾斜角度を制限する。したがって、本発明の実施の形態に係る調整ねじ46は、ポンプハウジング22から大きく突出すること無く、ヨーク20の傾斜角度の調整を可能とするものである。かかる調整作業の最後に、調整ねじ46の回転を阻止するロックナット58によって、調整ねじ46を所望の位置に固定することができる。以上のごとく、本発明の実施の形態によれば、ポンプハウジングからの突出量を一定に維持したままの操作が可能な、調整式ストッパを提供することが可能となる。
さて、本発明の内容を上記実施の形態に基づいて説明したが、本発明が上記実施の形態の内容に制限されるものではなく、本発明の技術分野における当業者が容易に発想し得る他の修正や変更を含むものである。すなわち、本発明の特許請求の範囲を逸脱しない限りにおいて、それらの修正や変更が本発明に含まれることは、当業者にも容易に理解されるであろう。
【図１】
0004061559.tif 000002
【図２】
0004061559.tif 000003
【図３】
0004061559.tif 000004